(57)【特許請求の範囲】
【請求項１】
検査対象に検査光を照射する検査用照明装置であって、検査光を射出する面光源と、前記面光源と前記検査対象との間に設けられ、前記面光源から放射された光を前記検査対象に照射する検査光として、前記検査対象に対する照射立体角を形成するためのレンズと、前記面光源と前記レンズとの間であって、前記レンズの焦点位置を中心としてその前後に設けられ、前記検査対象の各点に照射される検査光の照射立体角として、異なる光属性を持つ複数の立体角領域を形成する第１のフィルター手段を備えており、前記立体角領域の形状又は大きさや傾き、及び波長帯域や偏光状態、光量等の光の属性を設定可能なことを特徴とする検査用照明装置。
【請求項２】
前記第１のフィルター手段と前記面光源との間であって、前記レンズによって前記検査対象に対して結像される近傍の位置に第２の遮光マスクと第４のフィルター手段との少なくとも何れかひとつをさらに備え、前記第２の遮光マスク若しくは前記第４のフィルター手段によって、前記検査対象に対する検査光の照射領域又は照射形状や照射パターン又は光属性を任意に設定可能なことを特徴とする請求項１記載の検査用照明装置。
【請求項３】
前記検査用照明装置において、前記レンズと前記検査対象との間に、前記検査光の照射方向を変え、なおかつ前記検査対象からの光を透過して前記撮像装置で撮像できるようにするためのハーフミラーを備え、前記検査光の前記検査対象の各点に対する照射立体角として、前記立体角領域と前記撮像装置の前記検査対象の各点に対する観察立体角の光軸を略一致させたことを特徴とする請求項１又は請求項２に記載の検査用照明装置。
【請求項４】
前記検査対象において反射又は透過または散乱する光を撮像する撮像装置とからなる検査システムに適用される検査用照明装置であって、前記撮像装置で前記検査対象からの光を撮像するときに形成される前記検査対象の各点に対する観察立体角に対して、各点の明暗に所望の変化が得られるように、前記立体角領域の形状又は大きさや傾き、及び前記立体角領域に含まれる光の属性を設定可能なことを特徴とする請求項１から３のいずれかに記載の検査用照明装置。
【請求項５】
請求項１から４のいずれかに記載の検査用照明装置を使用し、前記検査対象において反射又は透過または散乱する光を撮像する撮像装置とからなる検査システムであって、前記検査用照明装置で前記検査対象に照射される検査光の照射立体角において、前記撮像装置の前記検査対象の各点における観察立体角の形状又は大きさや傾きに基づいて、前記検査対象の各点における前記立体角領域の形状又は大きさや傾きが、所望の濃淡情報を得るために好適に設定、若しくは相対的に前記立体角領域と前記観察立体角の形状又は大きさや傾きが略均一に設定されていることを特徴とする検査システム。
【発明の詳細な説明】
【技術分野】
【０００１】
本発明は、例えば検査対象に検査光を照射し、その製品の外観や傷、欠陥等の検査を行うために用いられる検査用照明装置、及び検査システムに関するものである。
【背景技術】
【０００２】
製品の外観検査等に用いられる検査用照明装置の一例としては、特許文献１に示されるような撮像する方向と、検査対象を照明する方向とを一致させた同軸照明が挙げられる。この同軸照明は、前記検査対象の検査対象面と平行な方向に検査光を射出する光源と、前記検査対象と、当該検査対象の上方に設けられた撮像装置との間において傾けて設けられており、前記検査光を前記検査対象へと反射するとともに、前記検査対象からの反射光は撮像装置側へと透過するように配置されたハーフミラーと、を備えたものがある。
【０００３】
ところで、上述したような検査用照明装置を用いても検出する事が難しい欠陥などの特徴点を、撮像された画像により検出できるようにすることが近年求められている。より具体的には、検査対象である製品の表面性状が完全なミラー面ではないために、検査対象面の特徴点における所望の濃淡情報を得るために、光軸や照射立体角の形状等を精密に制御する事が難しく、検査光を照射できたとしても、特徴点が検査対象のどの位置にあるかによって明暗差が大きく変化してしまい、特徴点を判別することが難しい事例がある。
【０００４】
例えば、絞り等を用いて検査光の照射範囲を検査対象のみに限定することにより、検査対象以外からの反射光や散乱光である迷光を低減して、検査精度を高めることが考えられる。
【０００５】
しかしながら、このような手法により撮像装置内に入射する迷光を低減できたとしても、非常に微小な欠陥等の場合には、撮像される画像の明るさの変化が大きくバラツキ、欠陥として検出する事ができない場合がある。
【０００６】
より具体的には、検査対象上の微小な欠陥等により、照射されている検査光の反射方向がわずかに変化したとしても、撮像装置の観察立体角内に収まる程度の変化の場合には、欠陥の有無に関わらず撮像される画像の明るさとしては変化が生じない。若しくは、検査光の照射立体角が大きく、その光軸の傾きが、検査対象の各点で違っていれば、反射方向のわずかな変化が撮像装置の観察立体角内の光量の変化として捉えられないばかりか、検査対象の各点で、撮像装置の観察立体角内の光量の変化がまちまちとなって、結局、マシンビジョンとしてはこのような微小な欠陥等を、検査対象範囲において正確に捉えられないことになる。
【先行技術文献】
【特許文献】
【０００７】
【特許文献１】特開２０１０−２６１８３９号公報
【発明の概要】
【発明が解決しようとする課題】
【０００８】
本発明は上述したような課題を鑑みてなされたものであり、欠陥などの特徴点が非常に小さかったり微かであったりして、その特徴点で生じる反射や散乱の変化がわずかであっても、検査対象の撮像範囲の各点において、その特徴点が視野内のどこにあっも、撮像装置の観察立体角内における光量を一定量だけ変化させることができ、ひいては、このような微小な特徴点の詳細をを検出する事が可能となる検査システム、及び、検査用照明装置を提供することを目的とする。
【課題を解決するための手段】
【０００９】
すなわち、本発明は、検査用照明装置から射出される検査光の照射立体角の大きさや、その形状、傾き等の様態を均一にし、その照射立体角内で光の伝搬方向以外の変化要素、たとえば異なる波長や偏波面、若しくは光量等を任意に区分して照射し、しかもこれを調節できるようにすることで、検査対象における欠陥等が微小であり、その欠陥等による反射や散乱の変化量がごくわずかであっても、撮像装置の観察立体角内で、区分した異なる波長帯域や偏波面、若しくは光量の領域毎にそれぞれの光量の変化として捉えることができ、この変化を明暗情報とする画像が得られるようにするという新規な発想に基づいてなされたものである。
【００１０】
より具体的には、本発明の検査用照明装置は、検査対象に検査光を照射する検査用照明装置であって、前記検査対象において反射又は透過又は散乱する光を撮像する撮像装置とからなる検査システムに適用され、前記検査用照明装置において、検査光を射出する面光源と、前記面光源と前記検査対象との間に設けられ、前記面光源から放射された光を前記検査対象に照射する検査光として、前記検査対象に対する照射立体角を形成するためのレンズと、前記面光源と前記レンズとの間であって、前記レンズの焦点位置を中心としてその前後に設けられ、前記検査対象の各点に照射される検査光の照射立体角を遮光形成する第１の遮光マスク、及び前記検査光を異なる波長帯域の光や異なる偏波面、若しくは異なる光量をもつ光で部分的に異なる光属性をもつ任意の立体角度領域に区分する第１のフィルター手段の少なくともいずれかひとつを備えており、前記撮像装置で前記検査対象からの光を撮像するときに形成される前記検査対象の各点に対する観察立体角に対して、各点の明暗に、異なる波長帯域や異なる偏波面、若しくは異なる光量をもつ等の、光属性の異なる立体角度領域ごとに所望の変化が得られるように、照射立体角全体の形状又は大きさや傾き、及び光属性の異なる前記立体角度領域が照射立体角内で任意に設定可能なことを特徴とする。ただし、前記第１の遮光マスクと前記第１のフィルター手段は、その両方の機能を備えた、任意の立体角度領域をもつ照射立体角形成手段として単一化された第３のフィルター手段として統合しても構わない。
【００１１】
また、前記第１の遮光マスクと前記面光源との間であって、前記レンズが前記検査対象に対して結像する近傍に、第２の遮光マスク、及び特定の属性をもつ光のみを透過する第４のフィルター手段の少なくともいずれかひとつをさらに備え、前記第２の遮光マスク若しくは第４のフィルター手段によって、前記検査対象に対する検査光の照射領域や照射パターンを任意に生成可能なことを特徴とする。
【００１２】
このような検査システム及び検査用照明装置であれば、前記レンズと前記第１の遮光マスク若しくは前記第１のフィルター手段により、前記検査対象の各点に照射される検査光の照射立体角を略均一に形成しつつ、異なる波長帯域や偏波面、若しくは光量等の、異なる光属性をもつ前記立体角度領域を任意に形成しつつ、その上で、前記レンズと前記第２の遮光マスク若しくは第４のフィルター手段により、前記検査対象の必要な部分にのみ前記検査光を照射したり、その検査光の照射範囲を任意の光属性をもつ領域で形成したりすることができる
【００１３】
言い換えると、例えば通常の面光源等の照明装置を用いる場合であれば、前記検査対象の各点に対する照射立体角の形状や傾きは、前記検察対象の各点と前記照明装置の光源面の形状との関係でそれぞれ決まることから、均一な検査光を得ることが難しいが、本願発明であれば前記検査対象の各点に対する照射立体角の形状や傾きを略均一とし、しかもその照射立体角内を異なる波長帯域や偏波面、若しくは光量をもつ等の、異なる光属性をもつ立体角度領域に区分しつつ、前記照射立体角の照射形態を調整することができ、なおかつ必要な領域のみに検査光を照射して前記検査対象からの迷光を防止することができる。
【００１４】
さらに、前記検査対象における微小な欠陥等により反射光や透過光又は散乱光の強度や方向がわずかに変化した場合でも、その変化する部分によって前記撮像装置の観察立体角内の異なる光属性をもつ立体角度領域ごとにその光量に変化が生じるように、前記第１の遮光マスク若しくは前記第１のフィルター手段によって、前記検査対象の各点に照射される検査光の照射立体角形状及びその角度を、前記撮像装置の観察立体角の大きさや形状及び角度との相対関係で適切に設定し、被写体面の特徴点の表面性状に合わせて適切に設定することができ、微小な欠陥等を検出しやすくしたり、または逆に検出されなくしたりすることができる。
【００１５】
また、検査対象の各点における照射立体角の中央部のみが暗部領域になり、周辺部のみが明部領域とする等、様々な態様の照射立体角を形成することができると共に、その照射立体角の内部を更に異なる光属性をもつ前記立体角度領域を形成することにより、前記検査対象における反射光や透過光が前記撮像装置の観察立体角内に入らないようにして、散乱光のみを撮像したり、前記反射光や透過光が前記観察立体角との包含関係で、前記検査対象における前記反射光や前記透過光の伝搬方向の変化を前記検査対象の各点の明暗情報として観察し、更に前記撮像装置において、前記反射光や前記透過光の立体角に反映される前記照射立体角内の異なる光属性をもつ前記立体角度領域を選択的に撮像可能な第２のフィルター手段を備えることで、前記任意の立体角度領域ごとに、前記検査対象の特徴点において生じた変化を捕捉することができ、様々な検査対象や検出すべき様々な特徴点で生じる微小な光の変化に応じた的確な様態の照射立体角で検査光を照射することができる。
【００１６】
ここでいう第２のフィルター手段としては、前記撮像装置において、たとえば、前記検査対象における前記反射光や前記透過光を、異なる光属性ごとに選択的に分光したあとでそのそれぞれの光量を光センサーで撮像しても良いし、光センサーの各ピクセルごとにそれぞれ異なる光属性の光のみ選択的に透過するフィルターを備えても構わない。
【００１７】
本発明による、略均一な照射立体角をもつ検査光を前記検査対象に照射した場合に、欠陥等によりその反射方向又は透過方向が変化する際に生じる前記反射光又は透過光の立体角の変化に関し、ごくわずかであってもその変化を捉えられるようにするには、その立体角の変化に対して、前記観察立体角内の光量変化が最大となり、それ以外の変化に対しては最小となるように、前記検査光の照射立体角と前記撮像装置の観察立体角との相対関係を、その形状や角度及び大きさに対して調整することにより、前記反射光又は透過光の立体角の変化のみを選択的に捉えることが可能となる。また、さらに前記照射立体角内に異なる光属性をもつ任意の前記立体角度領域を設定することにより、その立体角度領域ごとの光量変化を同時に観察することができ、前記検査対象の様々な特徴点における光の変化に対応して連続的に光の変化を補足することが可能となる。したがって、このように微小な欠陥等によるごくわずかな光の変化を捉えることは、その検査光の照射立体角の形状や角度及び大きさが前記検査対象面の各点に対して異なってしまう従来の照明装置では難しかったが、本発明による照明装置においてはそれを捉えることができるようになる。
【００１８】
前記検査対象の各点に照射される検査光の照射立体角の大きさを略均一に制御するとともに、照射立体角の傾き分布を光軸中心に対して調節できるようにするには、前記第１の遮光マスク、及び前記第１のフィルター手段、若しくは両者の機能を統合した前記第３のフィルター手段を、前記レンズの焦点位置を中心とする前後の位置に配置すればよい。以降、前記第１の遮光マスクに代表させて記述すると、すなわち、前記第１の遮光マスクの開口部を変化させることで、前記検査対象の各点における照射立体角を所望の形状や大きさに設定することができる。また、前記第１の遮光マスクを、前記レンズの焦点位置に配置すれば、前記検査光の照射立体角の光軸はすべて前記検査光の光軸に平行となり、前記レンズの焦点位置よりレンズ側に配置すれば前記検査光が広がる方向へ、前記レンズの焦点位置より外側に配置すれば前記検査光が狭まる方向へ、それぞれ前記検査光の照射立体角を傾かせることができる。このように、前記第１の遮光マスクの配置と、その開口部を変化させることにより、前記検査対象からの反射光や透過光の立体角に直接影響を及ぼす前記検査光の照射立体角について様々な調節が可能となり、検査対象と検査対象からの反射光又は透過光又は散乱光を観察する前記撮像装置の観察立体角との相対関係を、所望の明暗情報を得るために適した様態とすることができる。すなわち、このようにすれば、使用する観察光学系がテレセントリック光学系ではなく、視野範囲の外側と光軸中心でその観察立体角の光軸傾きが変化するような光学系に対しても、視野全体に対して、その各点に対する照射立体角と観察立体角が正反射方向になるように設定することが可能となる。
【００１９】
またさらに、前記照射立体角内に設定された、異なる光属性をもつ任意の前記立体角度領域は、前記検査対象に対して均一に設定された前記照射立体角内をさらに任意の立体角度領域として設定可能であり、単に照射立体角と観察立体角との相対関係で前記検査対象の各点の明るさが決まるだけでなく、前記立体角度領域ごとのさらに微小な光の変化を、別途前記照射立体角と前記観察立体角との形状や光軸等に関する相対関係を設定しなおすことなく、前記検査対象の視野範囲のすべての点で略同じ条件で、前記観察立体角に対する相対関係の変化として同時に観察することが可能となる。
【００２０】
このようにして、本発明による検査用照明装置、及び前記検査用照明装置を使用し、前記検査対象において反射又は透過または散乱する光を撮像する撮像装置とからなる検査システムにおいて、微小な特徴点に対する所望の明暗情報を得ることができるのは、前記検査対象の各点における明暗が、前記検査対象の各点からの反射光又は透過光又は散乱光の前記撮像装置に向かう光量で決まっており、その前記光量が前記検査対象の各点からの反射光又は透過光又は散乱光の立体角と前記撮像装置の観察立体角との包含関係で決まっていることから、前記検査対象の各点からの反射光又は透過光に直接影響する前記検査光の照射立体角を略均一に調節する機能を備え、なおかつその照射立体角内を異なる波長帯域や偏波面、若しくは光量をもつ任意の立体角度領域に区分し、前記撮像装置がその区分領域ごとに選択的にその光量を観察することができるようにしたことによる。
【００２１】
前記撮像装置によって撮像される前記検査対象の明暗情報を、その撮像範囲全体に亘って略均一な変化を示すものとするためには、前記撮像装置によって前記検査対象の各点に形成される観察立体角と、前記検査対象の各点からの反射光又は透過光又は散乱光の立体角との包含関係が略一定に保たれなければならない。これは、前記第１の遮光マスク、及び前記第１のフィルター手段を、乃至は前記第３のフィルター手段を、前記レンズの焦点位置を中心とする前後の位置で移動させることによって、前記検査光の照射立体角、及びその照射立体角内に形成された前記立体角度領域を、略均一な形状及び大きさとし、その傾き角度を調節して前記検査対象の各点における前記観察立体角の傾きに合わせこむことで実現することができる。
【００２２】
また、前記検査対象に対する検査光の前記照射立体角、及びその照射立体角内に形成された任意の前記立体角度領域を、その照射範囲の各点に対して前記観察立体角との相対関係を略一定に保ちながら、照射領域又は照射形状や照射パターンを任意に生成可能にするためには、前記第１の遮光マスク、若しくは前記第１のフィルター手段の少なくともいずれかひとつ、若しくは前記第３のフィルター手段に加えて、前記第２の遮光マスク若しくは前記第４のフィルター手段の少なくともいずれかひとつを備え、前記レンズによって前記検査対象に結像する位置近傍に配置すればよい。このようにすることで、前記検査光の前記照射立体角、及びその照射立体角内に形成された任意の前記立体角度領域の形状や大きさ及び傾きを略均一に保ちながら、前記検査光の前記検査対象に対する照射領域及びその照射領域の光属性と、前記検査対象の各点に対するその照射立体角及び特定の光属性をもつ前記立体角度領域の双方を独立に調節することができる。
【００２３】
前記検査対象の立体形状等についても容易に検査できるようにするには、前記第１の遮光マスク及び第１のフィルター手段、若しくは第３のフィルター手段に加えて、所定のマスクパターンが形成された前記第２の遮光マスク及び第４のフィルター手段を用い、このパターンを前記検査対象に対して結像させてやればよい。このようなものであれば、前記第１の遮光マスク及び第１のフィルター手段で調節された略均一な照射立体角及び特定の光属性をもつ立体角領域によって、前記撮像装置で均一な明暗変化をもつ明暗情報を得ることができ、前記検査対象の形状に問題があれば前記撮像装置で明暗情報として得られるパターンに歪みが生じるので、容易に形状不良を検出することができる。
【００２４】
前記検査対象の各点の反射光又は透過光の立体角と、前記撮像装置が前記検査対象の各点に形成する観察立体角とを、その形状及び大きさ及び傾きに関して略一致させると、前記検査対象に微小な特徴点がある場合でも前記反射光又は透過光の立体角と前記観察立体角との包含関係に変化が生じ、その微小な特徴点に対する明暗情報の変化を得ることできる。この包含関係の変化による明暗情報の変化率は、前記反射光又は透過光の立体角、及び前記観察立体角の大きさを適切に設定することで制御することが可能となるが、このままでは両者の立体角の大きさに依存する一定の明暗情報しか得ることができない。そこで、前記検査対象の各点に対する照射立体角内に異なる波長帯域や偏波面、若しくは光量をもつ任意の立体角度領域を形成すると、それが前記検査対象の各点の前記反射光又は前記透過光の立体角内に、それぞれ異なる波長帯域や偏波面、若しくは光量をもつ立体角度領域として反映されるので、前記特徴点に対する明暗情報の変化が、前記反射光又は前記透過光の立体角内に反映された前記立体角度領域と前記観察立体角との包含関係によって変化するようにすれば、それぞれの前記立体角度領域の分だけの微小な変化量を同時に検知することができる。
【００２５】
このようにするためには、ひとつは、前記検査光の照射方向を変え、なおかつ前記検査対象からの光を透過して前記撮像装置で撮像できるようにするためのハーフミラーを備え、前記検査光の前記検査対象の各点に対する照射立体角を適切に調整して、前記撮像装置の前記検査対象の各点に対する観察立体角とその各点から発せられる前記反射光又は前記透過光の立体角の光軸を略一致させること、もうひとつは前記検査光の照射方向に対して前記検査対象に立てた法線に線対称な方向に前記撮像装置の観察立体角を設定し、前記検査対象の各点の反射光又は透過光の立体角と前記撮像装置の前記検査対象の各点に対する観察立体角の光軸を略一致させることで実現することができる
【００２６】
さらに、前記撮像装置で、前記反射光又は前記透過光の立体角内に反映された、それぞれ異なる波長帯域や偏波面、若しくは光量をもつ前記立体角度領域の光を選択的に撮像可能な第２のフィルター手段を備えることで、それぞれの前記立体角度領域と前記観察立体角との包含関係によって発生する明暗変化を同時に検知することができる。
【発明の効果】
【００２７】
このように本発明の検査用照明装置、検査システムによれば、検査対象の各点に照射される検査光の照射立体角及びその暗部領域、及びその照射立体角内に形成される異なる波長帯域や偏波面、若しくは光量をもつ立体角度領域の大きさや態様を自由に調整することができるので、前記検査対象の各点からの反射光又は透過光又は散乱光の立体角、及びその立体角内に反映された、それぞれ異なる波長帯域や偏波面、若しくは光量をもつ前記立体角度領域と、前記撮像装置で前記検査対象の各点に形成される観察立体角との包含関係を略均一に設定することができ、従来検出の難しかった微小な欠陥等であっても略同一の検出条件で検出する事が可能となる。
【図面の簡単な説明】
【００２８】
【図１】本発明の一実施形態に係る検査用照明装置、及び検査システムの外観を示す模式的斜視図。
【図２】同実施形態における検査用照明装置、及び検査システムの照射立体角を形成する主要部分の内部構造、及び検査対象の各点における照射立体角を示す模式図。
【図３】同実施形態における検査用照明装置、及び検査対象を傾けて設置した検査システムの照射立体角を形成する主要部分の内部構造、及び検査対象の各点における照射立体角を示す模式図。
【図４】第１遮光マスク及び第１フィルター手段、及び第３フィルター手段の構成例。
【図５】従来の照明使用における検査用照明装置、及び検査システムの構造、及び検査対象の各点における照射立体角を示す模式図。
【図６】本発明の一実施形態における検査用照明装置、及び検査システムの照射立体角を形成する主要部分の構造、及び検査対象の各点における照射立体角を示す模式図。
【図７】第２の遮光マスク及び第４のフィルター手段を加えた実施形態における検査用照明装置、及び検査システムの構造、及び検査対象の各点における照射立体角を示す模式図。
【図８】本発明の一実施形態に係る検査用照明装置の照射立体角を形成する主要部分、及び検査システムの検査対象との距離をパラメータとした検査対象の各点における照射立体角を示す模式図。
【図９】本発明の一実施形態に係る検査用照明装置、及び検査システムの第１の遮光マスクの開口部の大きさをパラメータとした検査対象の各点における照射立体角を示す模式図。
【図１０】検査対象の部分的な傾きによる反射光の立体角の変化と照射立体角、及び観察立体角との相対関係。
【図１１】照射立体角中に異なる光属性の立体角領域がある場合の検査対象の部分的な傾きによる反射光の立体角の変化と照射立体角、及び観察立体角との相対関係。
【図１２】従来照明と本発明による照明の照射立体角の比較
【図１３】本発明による照射立体角形状の設定例
【発明を実施するための形態】
【００２９】
本発明の第１実施形態について説明する。
【００３０】
第１実施形態の検査用照明装置１００と、撮像装置Ｃにより構成される検査システム２００は、ハーフミラー４を用いて、検査対象Ｗを撮像する方向と、検査対象Ｗを照明する方向とが一致する、いわゆる同軸照明であり、検査対象Ｗの欠陥などの特徴点が撮像装置Ｃにより撮像された画像中に明暗差として現れるようにするために用いられるものである。なお、図２、及び図５から図８では、ハーフミラーを有する場合を点線で、無い場合を実線で表記した。また、第１のフィルターＦ１は特定の属性をもつ光を選択的に透過させ、その属性をもつ光で構成される立体角領域を形成するための手段であり、光を遮蔽するか透過するかで照射立体角を形成する第１の遮光マスクＭ１と、立体角を形成するという作用では同じであり、両者の機能を統合して単一の部品とした第３のフィルター手段Ｆ３と共に、図１から図３、及び図６から図９では、第１の遮光マスクＭ１を代表として図示し、対応記号のみＭ１にＦ１，Ｆ３と並記した。ここで、検査対象Ｗの欠陥などの特徴点とは、例えば、表面の傷、凹み、歪み、外観の形状、穴の有無等多岐に亘る不具合やその他の特徴種を含むものである。
【００３１】
前記検査用照明装置１００は、図１の斜視図、及び図２の模式図に示すように、概略筒状の筐体を有するものであり、その内部と検査対象Ｗ、及び撮像装置Ｃに到る部分に、検査光を面光源１から検査対象Ｗに照射する照射光路Ｌ１と、検査対象Ｗからの反射光又は透過光が撮像装置Ｃに至るまでの反射・透過光路Ｌ２とが形成されており、ハーフミラー４が設置されている場合には、前記筐体の上面開口側に撮像装置Ｃが取り付けられ、前記筐体の下面開口側に検査対象Ｗが載置されるものである。
【００３２】
なお、図１、及び図２に示すように、ハーフミラー４が設置されている場合には、照射光路Ｌ１は、面光源１からハーフミラー４に到る部分と、ハーフミラーによって部分的に反射されて検査対象に到る部分から構成され、ハーフミラー４が設置されていない場合には、照射光路Ｌ１によって直接検査対象に検査光が照射され、図２の場合、検査対象Ｗからの透過光が撮像装置Ｃに到るまでの光路がＬ２となる。
【００３３】
前記照射光路Ｌ１上には、検査光が進む順番に、検査光を射出する面光源１と、レンズ２の焦点位置を中心とする前後の位置に設けられた第１の遮光マスクＭ１と、第１のフィルター手段の少なくともいずれかひとつ、若しくはその代わりに両者の機能を兼ね備えた第３のフィルター手段Ｆ３と、前記面光源１から射出された検査光から検査対象Ｗに対する照射立体角を形成するレンズ２とが配置され、ハーフミラーが設置される場合には、さらに加えて、前記検査光を下方へと部分反射するように、前記反射・透過光路Ｌ２及び照射光路Ｌ１に対して傾けて設けられたハーフミラー４を配置し、また、さらに、検査光の照射領域を形成する第２の遮光マスク及び第４のフィルター手段を設置する場合は、前記面光源１と前記第１の遮光マスク及び前記第１のフィルター手段若しくは第３のフィルター手段との間であって、前記レンズ２によって前記検査対象Ｗに結像される位置近辺に第２の遮光マスクＭ２若しくは特定の光属性をもつ照射領域を形成する第４のフィルター手段の少なくともいずれかひとつが設置され、前記検査光は、前記検査対象Ｗへと照射される。ただし、第２の遮光マスクが設置される場合は、図７でその具体的な機能を説明する。
【００３４】
また、前記反射・透過光路Ｌ２上には、ハーフミラーが設置される場合には、ハーフミラー４が設置され、このハーフミラー４によって部分透過された反射光が撮像装置Ｃによって観察され、ハーフミラーが設置されない場合は、図２においては検査対象Ｗからの透過光が撮像装置Ｃに到るまでの光路がＬ２となり、この光路Ｌ２上には図１及び図２においてはハーフミラー４以外に存在するものはないが、場合によっては前記検査対象からの迷光をカットしたりする目的で、検査対象からの反射光又は透過光を部分的に遮光するマスク若しくは絞り等を設置してもよい。
【００３５】
以下では各部材の配置や構成、機能について詳述する。
【００３６】
前記面光源１は、例えばチップ型ＬＥＤや拡散板等により略均等拡散面をもつ光射出面１１が形成されたものである。また、前記面光源１は、図１に示すように、筒状の筐体内を照射光軸方向に進退可能に取り付けられており、検査光の照射開始位置を調整できるようにしてある。このようにすると、後述する第１の遮光マスクＭ１、及び第１のフィルター手段Ｆ１、若しくは両者の機能を兼ね備えた第３のフィルター手段Ｆ３による照射立体角、及びその照射立体角内の異なる光属性を持つ任意の立体角度領域の制御や、第２の遮光マスクによる照射領域の制御とは独立して、前記第１の遮光マスクＭ１、及び前記第１のフィルター手段Ｆ１、若しくは両者の機能を兼ね備えた前記第３のフィルター手段Ｆ３と、前記第２の遮光マスクＭ２及び前記レンズ２及び前記面光源１の位置関係で決まる検査光の光路に対して、前記検査対象Ｗにおける検査光の均一度や輝度分布等を制御することができる。照射領域によって照射光路が異なるので、例えば、前記面光源１に所定の輝度分布、若しくは発光波長分布、偏光特性分布等を備えておくと、照射領域によってその分布を変化させることもできるし、均一にすることもできる。
【００３７】
前記第２の遮光マスクＭ２、及び前記第４のフィルター手段は、図１に示すように、筒状の筐体内を照射光軸方向に進退可能に取り付けられており、前記レンズ２と前記検査対象との距離によって、前記第２の遮光マスク自身が前記検査対象に対する結像位置近傍に調整できるようにしてある。このようにすることによって、図７に示すように、前記面光源１からの照射光を部分的に遮光、若しくは特定の属性をもつ光のみを遮光することができ、前記第２の遮光マスクの開口部、若しくは前記第４のフィルターの特定の属性をもつ光のみを透過する部分の形状が検査対象Ｗに略結像されることから、前記第２の遮光マスクＭ２の開口部の形状や大きさ、若しくは前記第４のフィルター手段のパターン形状を変えることにより、前記検査対象Ｗにおける検査光の照射範囲、若しくは特定の属性をもつ光を照射する照射領域を任意に設定することができる。また、この調整や設定は、後述する前記第１の遮光マスクＭ１、及び前記第１のフィルター手段Ｆ１、若しくは両者の機能を兼ね備えた前記第３のフィルター手段Ｆ３による照射立体角の制御とは独立して行うことができる。
【００３８】
前記第１の遮光マスクＭ１、及び前記第１のフィルター手段Ｆ１、若しくは両者の機能を兼ね備えた前記第３のフィルター手段Ｆ３は、前記レンズ２と前記面光源との間であって、前記レンズ２の焦点位置を中心とする前後の位置に設けられ、図１に示すように、筒状の筐体内を照射光軸方向に進退可能に取り付けられている。ここで、前記第１の遮光マスクＭ１を前記第１のフィルター手段Ｆ１、及び両者の機能を兼ね備えた前記第３のフィルター手段Ｆ３の代表例として説明すると、例えば、前記第１の遮光マスクＭ１を前記レンズ２の焦点位置に設けた場合は、図２のように、前記検査対象Ｗの各点における照射立体角ＩＳの大きさと形状と傾き角がすべて同じになり、このことは、図３に示したように、前記検査対象の各点と前記レンズ２との距離が異なる場合でも同様である。また、このことは、図８に示すように、前記ハーフミラー４の有無に拘わらず、また前記検査対象Ｗと前記レンズ２との距離にも拘わらず、同様である。以上の前記第１の遮光マスクＭ１を代表例として説明したことは、前記第１のフィルター手段Ｆ１、及び両者の機能を兼ね備えた前記第３のフィルター手段Ｆ３によって形成される前記立体角領域についても同様である。
【００３９】
次に、前記第１の遮光マスクＭ１、及び前記第１のフィルター手段Ｆ１、若しくは両者の機能を兼ね備えた前記第３のフィルター手段Ｆ３が、前記レンズ２の焦点位置の前後にある場合について、前記第１のフィルター手段Ｆ１を代表例として説明する。
【００４０】
図９の（ａ）に示すように、まず、前記第１の遮光マスクＭ１が極微小な透過部分で焦点位置近傍にある場合、照射立体角はほぼ０に近くになり、前記第１の遮光マスクＭ１が前記レンズ２の焦点位置より前記レンズ２の側にあるとき、前記検査光は、図９の（ａ）の実線で示したように光軸中心より外側に広がっていくように傾いた光路で形成され、前記第１の遮光マスクＭ１が前記レンズ２の焦点位置より前記面光源１の側にあるとき、前記検査光は、図９の（ａ）の破線で示したように光軸中心に集光するように傾いた光路で形成される。一方で、前記検査光の前記検査対象の各点に対する照射立体角の形状及び大きさは、図９の（ｂ）（ｃ）に示すように、前記第１の遮光マスクＭ１の開口部の形状及び大きさで一律に決定され、これとは独立に、前記第１の遮光マスクＭ１の位置によって、その照射立体角の傾きを制御することができる。
【００４１】
図９におけるＰ１、Ｐ２、Ｐ３は、前記レンズ２の物体側焦点位置の距離にある点であり、少なくともＰ１を通る光は前記レンズ２によって、前記面光源１より照射された光軸に平行な光路を取る光のみであり、前記第１の遮光マスクＭ１によってこの光路の開口部が例えば直径ｒである場合、Ｐ１における照射立体角は、図９下部に示したように前記レンズ２の焦点距離ｆと開口部の直径ｒのみによって一意に決まり、理想的にはレンズよりＰ１と同じ距離にあるＰ２、Ｐ３も同様である。また、前記レンズ２の焦点距離より遠い任意の点であるＰ４、Ｐ５でも、理想的には、その照射立体角はすべてＰ１での照射立体角と同じ形状、同じ大きさとなる。
【００４２】
前記第１の遮光マスクＭ１、及び前記第１のフィルター手段Ｆ１、及び前記第３のフィルター手段Ｆ３は、たとえば図４に示したように、ほぼ光を遮断する遮光部Ｍ１が任意の形状で開口部を形成しており、図４では周囲が遮光部で中心部か開口部として図示しているが、その開口部の一部が更に遮光部となっても構わない。また、遮光部が特定の属性をもつ光のみを遮光する部分であってもよく、さらに図４では、Ｍ１の開口部に前記第１のフィルター手段Ｆ１が設定されており、ここでは３種類の光属性の異なる立体角領域を形成するためのパターンＦ１１、Ｆ１２、Ｆ１３が設定されている。ここでは同心円状のパターンとなっているが、これも前記検査対象の着目する特徴点によって任意のパターンに最適化してもよい。この前記第１の遮光マスクＭ１と前記第１のフィルター手段Ｆ１を統合したものが前記第３のフィルター手段Ｆ３に相当する。
【００４３】
図４に示した、前記第１の遮光マスクＭ１、及び前記第１のフィルター手段Ｆ１、若しくは前記第３のフィルター手段Ｆ３を使用すると、例えば図１１に示すように、前記検査対象Ｗの１点Ｐに対して照射立体角ＩＳを形成することができる。この照射立体角はＩＳは、前記第１の遮光マスクＭ１の中心部の開口部によってその一番外側の形状が決定され、さらにその照射立体角内に、前記第１のフィルター手段Ｆ１によって、それぞれ前記第１のフィルター手段Ｆ１のマスクパターンＦ１１、Ｆ１２、Ｆ１３に対応して、それぞれ異なる光属性を持つ立体角領域ＩＳ１、ＩＳ２、ＩＳ３が形成される。
【００４４】
以上で述べた、照射立体角が略均一に形成できる本発明の検査用照明に対して、従来の通常の光源面のみを用いる照明では、図５に示したように、検査対象Ｗの各点に対する検査光の照射立体角ＩＳは、各点によってその形状や大きさ、及び傾きが異なる。これは、前記検査対象Ｗの各点に対する照射立体角ＩＳが、その各点から照明を逆に見たときの面光源１の射影形状、及び大きさ、及び角度で一意に決まっているからである。一方で、前記検査対象の各点における観察立体角ＯＳは、前記撮像装置Ｃの瞳位置、及び瞳形状、及び瞳の大きさと前記検査対象の各点との相対関係で決まっている。撮像装置Ｃによる各点の明るさは、各点において照射立体角ＩＳを直接反映する反射光の立体角ＲＳ若しくは透過光の立体角ＴＳと前記観察立体角ＯＳとの包含関係で決まっており、図５ではこの包含関係が場所によってまちまちであり、反射光の立体角ＲＳ若しくは透過光の立体角ＴＳの変化が微小であると、検査領域の各点で、同じ光の変化量を得ることが難しくなることがわかる。
【００４５】
一般に、主光軸以外の観察立体角の傾き度合いは、結像光学系の特性によって決まっており、それは通常のレンズの性質上、主光軸から同心円状に変化している。このような結像光学系に対して、均一な光の変化、特に前記検査対象の各点における反射、若しくは透過光の立体角の傾きの変化に対して均一な変化量を得るためには、前記検査対象に対する前記検査光の照射立体角の傾きを主光軸に対して同心円状に変化させれば、各点における照射立体角と観察立体角の相対関係を一定に保つことができる。
【００４６】
図６は、本発明による第１実施形態の検査用照明装置１００の一部を用い、撮像装置Ｃにより構成される検査システム２００において、撮像装置Ｃによって形成される、前記検査対象の各点における観察立体角ＯＳに対して、前記第１の遮光マスクＭ１、及び前記第１のフィルター手段Ｆ１、若しくは前記第３のフィルター手段Ｆ３の位置を、前記レンズ２の焦点位置よりずらせて設定することにより、前記検査対象Ｗ上の各点において照射立体角ＩＳを直接反映する反射光の立体角ＲＳ若しくは透過光の立体角ＴＳの光軸と前記観察立体角ＯＳの光軸を一致させており、このようにすると、前記検査対象Ｗ上の各点で反射光の立体角ＲＳ若しくは透過光の立体角ＴＳが変化したときに、各点において同じ変化率でその変化を、前記観察立体角ＯＳとの包含関係の変化、すなわち各点の明るさ変化として補足することが可能となる。このとき、もし前記撮像装置Ｃによって形成される、前記検査対象の各点における観察立体角ＯＳの光軸がすべて同じ方向を向くテレセントリック光学系であれば、前記第１の遮光マスクＭ１、及び前記第１のフィルター手段Ｆ１、若しくは前記第３のフィルター手段Ｆ３の位置を、前記レンズ２の焦点位置に設定して、形成される照射立体角ＩＳの光軸をすべて同じ方向とすれば、前記検査対象Ｗ上の各点における観察立体角ＯＳの光軸と一致させることができる。
【００４７】
ここで、図１０を用いて、照射立体角と観察立体角との包含関係と前記撮像装置が得られる明暗情報について説明する。
【００４８】
図１０の（ａ）は、前記検査対象Ｗ上の点Ｐに着目して、前記点Ｐに照射立体角ＩＳなる検査光を照射した場合を考え、前記検査対象の点Ｐを含む面が部分的にφだけ傾いたときに、点Ｐの明るさがどのように変化するかを、前記撮像装置Ｃが点Ｐに形成する観察立体角ＯＳに対して、点Ｐからの反射光の立体角ＲＳが立体角ＲＳ′のように変化したときの、各立体角の相対関係がどのようになるかを示している。
【００４９】
図１０の（ａ）において、点Ｐからの前記反射光の立体角ＲＳ及びＲＳ′の形状と大きさは、点Ｐに対する検査光の照射立体角ＩＳに等しい。また、前記反射光の立体角ＲＳの傾きは、点Ｐに立てた法線に対して前記検査光の照射立体角ＩＳの線対称となる方向に、前記検査光の照射立体角ＩＳの傾きθと同じだけ傾いている。このとき、前記撮像装置Ｃが点Ｐに対して形成する観察立体角ＯＳが、前記反射光の立体角ＲＳとその光軸が一致しており、なおかつ前記反射光の立体角ＲＳに比べてその大きさがごく小さいとすると、前記撮像装置Ｃで捉えられる点Ｐの明るさは、その観察立体角ＯＳの大きさで制限され、この包含関係が変わらない範囲で前記反射光の立体角ＲＳが傾いても変化することはない。ただし、照射立体角ＩＳ、反射光の立体角ＲＳ及びＲＳ′内の光エネルギーはその立体角内で均一に分布しているもと仮定する。
【００５０】
次に、図１０の（ａ）において、前記検査対象Ｗの点Ｐを含む面が部分的にφだけ傾いた場合を考えると、点Ｐからの反射光の立体角ＲＳは、図中点線で示したＲＳ′のように２φだけ傾くことになる。このときに、点Ｐからの反射光の立体角ＲＳ′が、前記撮像装置Ｃが点Ｐに対して形成する観察立体角ＯＳとなんらの包含関係をもたなければ、前記撮像装置Ｃから見た点Ｐの明るさは０となるが、前記撮像装置Ｃが点Ｐに対して形成する前記観察立体角ＯＳと部分的に包含関係があれば、両者が重なった立体角部分に含まれる光が点Ｐの明るさとして反映される。すなわち、点Ｐからの反射光の立体角ＲＳ′の平面半角が、前記反射光の傾き角２φから前記観察立体角ＯＳの平面半角を差し引いた角度より大きく、なおかつ前記反射光の傾き角２φに前記観察立体角ＯＳの平面半角を加えた角度より小さい場合は、点Ｐの明るさが前記反射光の傾き角２φによって変化する。しかし、もし前記照射立体角ＩＳの平面半角が、前記検査対象Ｗの部分的な傾きによって生じる反射光の傾き角２φに前記観察立体角ＯＳの平面半角を加えた角度より大きい場合は、点Ｐの明るさは変化しない。また、観察立体角ＯＳの平面半角が、前記反射光の傾き角２φと前記反射光の立体角ＲＳの平面半角を加えたものより大きければ、やはり点Ｐの明るさは変化しない。このことは、結局、点Ｐの明るさは、点Ｐからの反射光の立体角ＲＳと点Ｐに対する観察立体角ＯＳの包含関係で決まっており、点Ｐに照射される検査光の照射立体角ＩＳと点Ｐに対する観察立体角ＯＳとの、形状、及び大きさ、及び傾きに関する相対関係を設定することで、点Ｐの明るさの変化を制御できる、ということを示している。
【００５１】
図１０の（ｂ）は、（ａ）において検査光の照射光軸と点Ｐの法線及び点Ｐからの反射光軸を含む面での断面図であり、各要素の傾きとその包含関係がより定量的に把握できる。ただし、図１０の（ｂ）では、観察立体角ＯＳが、照射立体角ＩＳ、つまり反射光の立体角ＲＳより大きい場合を図示した。検査対象Ｗが傾いて、点Ｐからの反射光の立体角ＲＳが点線で示したＲＳ′になると、本図では前記観察立体角ＯＳとの包含関係がなくなり、その観察立体角ＯＳ内の光エネルギーは０となるので、この観察立体角ＯＳに含まれる光を再び点に集めて結像させても、点Ｐは真っ暗にしか見えない。しかし、この場合も前記照射立体角ＩＳと前記観察立体角ＯＳの相対関係を調整することにより、前記反射光の立体角ＲＳと前記観察立体角ＯＳとの包含関係を生じさせると、その重なり部分の大きさの変化に従って、点Ｐの明るさが変化することになる。
【００５２】
図１０の（ｂ）において、ここで、もし観察立体角ＯＳの形状及び大きさが照射立体角ＩＳと同じで、点Ｐからの反射光の立体角ＲＳの傾きと一致しているとすると、その状態から少しでも検査対象Ｗが傾くと、少なくともその分だけ観察立体角ＯＳと反射光の立体角ＲＳの重なっている部分が減少するので、観察立体角ＯＳを介して見た点Ｐの明るさはその分変化する。しかもその各立体角が小さければ小さいほど、検査対象Ｗが同じ角度だけ傾いたときの点Ｐの明るさの変化量は大きくなり、逆に大きければ大きいほど、検査対象Ｗが同じ角度だけ傾いたときの点Ｐの明るさの変化量は小さくなる。また、照射立体角ＩＳと観察立体角ＯＳの形状や大きさや傾き等を、検査対象の所望の特徴点で発生する光の変化に対応して適切に設定すれば、これまで安定に検出できなかった特徴点の検出が精度良くできるようになる。本発明では、この原理に着目し、照射立体角の形状や大きさ及び傾きを精度良く制御することが可能な検査用照明装置が考え出されるに到った。
【００５３】
次に図１１を用いて、検査対象に照射される照射立体角内に異なる光属性を持った立体角領域が存在する場合に、前記検査対象上の点Ｐの明るさが、前記点Ｐより反射される反射光の立体角と撮像装置Ｃが前記点Ｐに対して形成する観察立体角との包含関係によってどのように変化するかを記述する。
【００５４】
図１１に示した照射立体角ＩＳは、その内部が異なる光属性を持った立体角領域ＩＳ１、ＩＳ２、ＩＳ３で形成されている。このとき、検査対象Ｗ上の点Ｐから反射される反射光の立体角ＲＳは、前記照射立体角ＩＳと同じで、その光軸は前記検査対象Ｗ上の点Ｐに立てた法線に対して、前記照射立体角ＩＳと線対称の方向であり、前記反射光の立体角ＲＳの内部にも、前記照射立体角内に形成されていた異なる光属性を持った立体角領域ＩＳ１、ＩＳ２、ＩＳ３に対応して、そのそれぞれと同じ光属性を持つ立体角領域ＲＳ１、ＲＳ２、ＲＳ３が形成される。
【００５５】
図１１では、簡単のため、撮像装置Ｃによって前記検査対象Ｗ上の点Ｐに形成される観察立体角ＯＳが、前記反射光の立体角ＲＳ、及び前記反射光の立体角ＲＳないに形成されている異なる光属性を持つ立体角領域ＲＳ１、ＲＳ２、ＲＳ３に対して十分小さい場合を考えており、図１１の（ａ）では、前記観察立体角ＯＳが前記立体角領域ＲＳ１に完全に包含されている場合を示している。このときに、前記撮像装置Ｃにおいて、前記異なる光物性の光をそれぞれ選択的に検出できる第２のフィルター手段を備えておれば、前記検査対象上の点Ｐの明るさは、前記立体角領域ＲＳ１のもつ光属性の光のみで、ある明るさに補足される。
【００５６】
次に、図１１の（ｂ）に示すように、前記検察対象Ｗの面がφだけ傾いた場合を考えると、前記反射光の立体角ＲＳの光軸は２φだけ方向き、前記観察立体角ＯＳは、前記異なる光物性を持つ立体角領域のＲＳ３に包含されている。すなわち、このときには、前記検査対象上の点Ｐの明るさが、前記立体角領域ＲＳ３のもつ光属性の光のみで、ある明るさに補足される。
【００５７】
今、分かりやすくするために、図１１に示す、それぞれ異なる光物性を持つ前記立体角領域ＲＳ１、ＲＳ２、ＲＳ３が、たとえばそれぞれ青色光、緑色光、赤色光であるとして、前記撮像装置Ｃがカラーカメラだとすると、図１１の（ａ）の場合は、前記検査対象Ｗ上の点Ｐは青色で、ある明るさに見え、、図１１の（ｂ）の場合は、赤色で、ある明るさに見えることになる。また、前記検査対象Ｗの傾き角φが徐々に大きくなる場合を考えると、前記検査対象Ｗ上の点Ｐはその傾き角が大きくなるに従って、青色から徐々に緑色を帯びてきて、緑色を経て赤色まで連続的に変化することになり、内部に異なる光属性を持つ立体角領域がない照射立体角だと、その照射立体角と観察立体角との包含関係で決まる明暗情報のみとなるが、本発明によると前記検査対象Ｗの傾き角φをより広い範囲で連続的に捕捉することが可能となる。
【００５８】
次に、本発明における前記ハーフミラー４は、概略正方形状の枠体により支持された円形状のごく薄いものである。このようなハーフミラー４を用いることで、ハーフミラー４の反射又は透過が起こる表面と裏面の乖離部分をごく薄く形成することができ、前記検査対象Ｗからの反射光がハーフミラー４を透過する際に、生じる微小な屈折や内面反射等によるゴーストを最小限にすることができる。
【００５９】
前記第１の遮光マスク、及び前記第２の遮光マスクは、一般的な光学材料である複数枚の羽根を使用した絞りであってもよく、または任意の開口部をもつごく薄い遮光板と絞りを組み合わせてもよく、さらには電子的にその開口部の設定が可能な液晶等の部材を用いても良い。
【００６０】
また、前記第１の遮光マスクの開口部の別な実施形態として、例えば、その開口部が円状ではなく、楕円、若しくは細長いスリット状にすることで、前記検査対象の特徴点を検出するに当たり、その検出感度に異方性をもたせることができる。すなわち、このとき、前記検査対象の各点に対する照射立体角は前記第１の遮光マスクのスリットと同じ長手方向に広がり、短手方向にはごく薄い照射立体角となり、この場合は長手方向の前記検察対象の傾きの検知感度は低く、短手方向の検知感度のみが高く設定できる。ただし、この場合は前記撮像装置が前記検査対象の各点に形成する観察立体角の形状や大きさ及び傾きを、照射立体角の短手方向に合わせて、相対的にほぼ同等になるように設定する必要がある。若しくは、前記撮像装置が前記検査対象の各点に形成する観察立体角の大きさを十分小さく設定すると、照射立体角の広がっている分、検出する傾きにしきい値を設定することが可能となる。
【００６１】
また、前記第１の遮光マスクの開口部の別な実施形態として、例えば、その開口部が同心円状の遮光部と開口部とを備えることによって、その幅を適当にとれば、前記検査対象の部分的な傾きに対して、或る一定の傾き角度範囲だけを検出することもできるし、必要な方向にその幅を必要なだけ設定すると、その検出角度に異方性をもたせることもできる。若しくは、このような検査用照明を多段に設ければ、表面の傾き度合いに応じて、これを分類検出することができ、さらに加えて、前記第１の遮光マスクを電子的にその開口部の設定が可能な前記液晶等の部材とすれば、この開口パターンを動的に切り替えることによって、複数種類の明暗情報が得られ、さらに詳細な分類検出を行うことができる。
【００６２】
さらにまた、前記第１のフィルター手段Ｆ１においては、その異なる光属性として、波長帯域や偏光状態、輝度等が考えられ、たとえば前記光源１を白色光を発する光源として、前記第１のフィルター手段Ｆ１で、それを異なるの波長帯域の光で構成される任意の立体角領域を形成することができ、同時に異なるパターンで異なる波長帯域の光を任意の方向から任意の形状で、しかも前記検査対象Ｗの視野範囲のすべての点において同一条件で照射することが可能となる。さらに加えて、前記第１のフィルター手段Ｆ１を電子的にそのパターンや透過率等の設定が可能なカラー液晶等の部材とすれば、このフィルターパターンを動的に切り替えることによって、複数種類の明暗情報が得られ、さらに詳細な分類検出を行うことができる。
【００６３】
また、前記第２のフィルターの構成例として、異なる光属性を持つ立体角領域を明確に区分しても良いし、徐々に異なる光属性を持つようにグラデーションをもたせることもできる。このようにすると、たとえば、前記検査対象からの反射光、若しくは透過光が、照射角度、または観察角度によって輝度の異なる場合、これを均一な輝度にすることも逆に輝度の変化を付けることもできるようになる。たとえば前記検査対象Ｗの表面から直接反射される光と、キズなどの散乱光を発する部分との輝度差を自在に調整することが可能となる。これは、正反射光として前記検査対象Ｗの表面から直接反射される光の角度範囲に対応する照射立体角領域の光量を少なくし、徐々にそれ以外の立体角領域の光量を大きくすることにより、実現することができる。
【００６４】
本発明による顕著な効果は、前記第１の遮光マスク及び前記第１のフィルター手段による任意のパターンによって、任意の形状の照射立体角が、しかもその光属性を任意に変化させながら、前記撮像装置Ｃの撮像する前記検査対象Ｗの視野範囲全体のすべての位置において、すべて同条件で照射光を照射することができ、しかもその照射光軸や照射立体角を、前記撮像装置の光学特性に好適な状態に設定することができる点にある。図１２の（ａ）は、一般的な従来照明で、検査対象Ｗを照射したときに、その検査対象Ｗの異なる位置Ｐ、Ｐ′におけるそれぞれの照射立体角ＩＳ、ＩＳ′を示しているが、両者で照射立体角の形状や光軸が異なっていることが分かる。また、図１２の（ｂ）は、本発明による照射光の様態を示しており、前記検査対象Ｗの視野範囲全体のすべての位置において、すべて同条件で照射光を照射することができる。このようにすることによって、特に前記検査対象Ｗから返される反射光や透過光を観察する明視野照明法において、顕著な効果を期待することができる。ここで、反射光とは鏡面などから返される正反射光のことを指し、透過光とは透明物体を透過してくる正透過光を指す。また、散乱光を観察する暗視野照明法においても、その散乱光が照射される光属性や照射立体角に依存して変化するものも多く、従来照明では実現できなかった微小な変化を検出することが可能となる。
【００６５】
図１３に、前記第１の遮光マスク及び前記第１のフィルター手段、若しくは前記第３のフィルター手段による任意のパターンと、その結果形成される照射立体角の形状例を示す。図13の（ｄ）と（ｈ）は、前記第１の遮光マスク及び前記第１のフィルター手段で、光属性の異なる立体角領域を含むものであるが、その他のパターンにおいても、第１のフィルター手段によって、照射立体角の全部、若しくは一部を、或る一定の範囲の光属性を持つものとしてもよいし、遮光部分Ｍ１が特定の属性をもつ光のみを透過する部分であってもよく、その場合の照射立体角ＩＳは異なる光物性をもつ立体角領域の境界となる。
【００６６】
また、前記第２の遮光マスクは、前記検査対象に結像されることから、前記遮光マスクの開口部に、特定の属性を持つ光のみを透過する第４のフィルター手段を設けることにより、前記検査光の照射範囲ごとにその光属性を設定することが可能となる。このとき、光を照射しない範囲を設定する必要がなければ、前記第４のフィルター手段のみによって、透過する特定の光属性ごとにその照射範囲を設定してもよい。
【００６７】
さらに、前記第２の遮光マスクに、電子的にその開口部の設定が可能な前記液晶等の部材とすれば、この開口パターンを動的に切り替えることによって前記検査光の照射領域を変更し、前記検査対象に異なる照射領域必要とするものがあっても、それぞれの領域に合わせて検査光を照射し、複数種類の明暗情報を得ることができる。
【００６８】
さらに、また、前記面光源を、その照射面の発光波長分布や輝度分布、偏光状態分布を動的に変更できるカラー液晶等と白色光源を組み合わせて構成することにより、さらに様々な種類の検査対象に対応することが可能になる。
【００６９】
その他、本発明の趣旨に反しない限りにおいて様々な変形や実施形態の組み合わせを行っても構わない。
【符号の説明】
【００７０】
２００    ：検査システム
１００    ：検査用照明装置
１        ：面光源
１１      ：光射出面
２        ：レンズ
４        ：ハーフミラー
Ｃ        ：撮像装置
Ｌ１      ：照射光路
Ｌ２      ：反射・透過光路
Ｍ１      ：第１遮光マスク（及びその遮光部）
Ｆ１      ：第１フィルター手段
Ｆ１１    ：第１フィルター手段の或る光属性１を持つ光を透過する部分
Ｆ１２    ：第１フィルター手段の或る光属性２を持つ光を透過する部分
Ｆ１３    ：第１フィルター手段の或る光属性３を持つ光を透過する部分
Ｆ２      ：第２フィルター手段
Ｆ３      ：第３フィルター手段
Ｆ４      ：第４フィルター手段
Ｍ２      ：第２遮光マスク
Ｗ        ：検査対象
Ｐ        ：検査対象Ｗ上の或る点
Ｐ′      ：検査対象Ｗ上の別の点
Ｐ１      ：レンズ２の物体側焦点
Ｐ２      ：レンズ２からＰＩと同一距離の点
Ｐ３      ：レンズ２からＰＩと同一距離の点
Ｐ４      ：レンズ２の物体側焦点以遠の任意の点
Ｐ５      ：レンズ２の物体側焦点以遠の任意の点
ＩＳ      ：照射立体角
ＩＳ′    ：別の照射立体角
ＩＳ１    ：照射立体角内の異なる光属性を持つ立体角領域１
ＩＳ２    ：照射立体角内の異なる光属性を持つ立体角領域２
ＩＳ３    ：照射立体角内の異なる光属性を持つ立体角領域３
ＯＳ      ：観察立体角
ＲＳ    ：反射光の立体角
ＲＳ′    ：反射光の立体角
ＲＳ１    ：反射光の立体角内の異なる光属性を持つ立体角領域１
ＲＳ２    ：反射光の立体角内の異なる光属性を持つ立体角領域２
ＲＳ３    ：反射光の立体角内の異なる光属性を持つ立体角領域３
ＴＳ      ：透過光の立体角
【要約】
【課題】被検査対象の特徴点で生じる光の変化がわずかであっても、その光の変化量をその全視野範囲で判別可能とし、その特徴点を、同条件で検出する事が可能な検査用照明装置を提供する。
【解決手段】前記検査用照明装置１００において、面光源１と、前記面光源１と検査対象Ｗとの間に、遮光マスクＭ１及びフィルター手段Ｆ１の少なくともいずれかひとつがそのレンズの焦点位置を中心として位置するように、前記検査対象Ｗに近い側にレンズ２を配置し、前記面光源１から放射された光が前記レンズ２によって前記検査対象Ｗに照射される際の照射立体角が、特定の光属性を持つ任意の立体角領域をもつようにして、被検査対象の特徴点で生じる変化に合わせ、前記検査光の照射立体角の形状や大きさ及び傾き角と前記照射立体角内の特定の光属性をもつ立体角領域を、その視野全域において略均一に設定できるようにした。
【選択図】図１【図１】
0005866586.tif 000002
【図２】
0005866586.tif 000003
【図３】
0005866586.tif 000004
【図４】
0005866586.tif 000005
【図５】
0005866586.tif 000006
【図６】
0005866586.tif 000007
【図７】
0005866586.tif 000008
【図８】
0005866586.tif 000009
【図９】
0005866586.tif 000010
【図１０】
0005866586.tif 000011
【図１１】
0005866586.tif 000012
【図１２】
0005866586.tif 000013
【図１３】
0005866586.tif 000014